(57)【要約】【課題】分析条件のパラメータを容易に設定することができる分析システム及びこれに用いられる情報端末を提供する。【解決手段】情報端末１の撮影部１４でコード画像５を撮影し、そのコード画像５を解析することにより得られた分析条件のパラメータを用いて分析装置２に信号を送信する。情報端末１において分析条件のパラメータを設定してメソッドファイルを作成したり、情報端末１を操作してメソッドファイルを検索したりする必要がない。また、撮影部１４でコード画像５を撮影するだけでよいため、ＵＳＢメモリなどの記憶媒体を用いてメソッドファイルをコピーする必要もない。【選択図】  図１
2016162259.tif 000002
【特許請求の範囲】
【請求項１】
作業者によって操作される情報端末と、
前記情報端末からの指示信号に基づいて分析を行う分析装置とを備え、
前記情報端末は、
画像を撮影する撮影部と、
前記撮影部により撮影されたコード画像を解析する画像解析部と、
前記画像解析部によりコード画像が解析された場合に、その解析により得られた分析条件のパラメータを用いて前記分析装置に信号を送信する信号送信部とを有することを特徴とする分析システム。
【請求項２】
前記情報端末は、
表示部と、
前記分析装置における分析条件のパラメータを設定するための設定画面を前記表示部に表示させる表示制御部と、
前記設定画面を用いて設定された分析条件のパラメータがコード化されたコード画像を生成する画像生成部と、
前記画像生成部により生成されたコード画像を出力する画像出力部とをさらに有することを特徴とする請求項１に記載の分析システム。
【請求項３】
前記情報端末は、前記分析装置から分析結果を受信する分析結果受信部をさらに有し、
前記画像出力部は、前記画像生成部により生成されたコード画像に、当該コード画像が表す分析条件のパラメータを用いて前記分析装置で行われた分析結果を対応付けて出力することを特徴とする請求項２に記載の分析システム。
【請求項４】
分析装置に対して分析を指示するための情報端末であって、
画像を撮影する撮影部と、
前記撮影部により撮影されたコード画像を解析する画像解析部と、
前記画像解析部によりコード画像が解析された場合に、その解析により得られた分析条件のパラメータを用いて前記分析装置に信号を送信する信号送信部とを備えたことを特徴とする情報端末。
【請求項５】
表示部と、
前記分析装置における分析条件のパラメータを設定するための設定画面を前記表示部に表示させる表示制御部と、
前記設定画面を用いて設定された分析条件のパラメータがコード化されたコード画像を生成する画像生成部と、
前記画像生成部により生成されたコード画像を出力する画像出力部とをさらに備えたことを特徴とする請求項４に記載の情報端末。
【請求項６】
前記分析装置から分析結果を受信する分析結果受信部をさらに備え、
前記画像出力部は、前記画像生成部により生成されたコード画像に、当該コード画像が表す分析条件のパラメータを用いて前記分析装置で行われた分析結果を対応付けて出力することを特徴とする請求項５に記載の情報端末。
【発明の詳細な説明】
【技術分野】
【０００１】
本発明は、作業者によって操作される情報端末と、前記情報端末からの指示信号に基づいて分析を行う分析装置とを備えた分析システム及びこれに用いられる情報端末に関するものである。
【背景技術】
【０００２】
分析装置においては、例えば分析の際に必要となる複数種類の分析条件のパラメータがメソッドファイルとして記憶部に格納され、当該メソッドファイルに基づいて分析が行われる。作業者は、記憶部に格納されているメソッドファイルを必要に応じて読み出すことにより、同一の分析条件で再度分析を行うことができる（例えば、下記特許文献１参照）。
【０００３】
分析装置には、パーソナルコンピュータなどにより構成される情報端末が接続され、当該情報端末において作成されたメソッドファイルを用いて分析装置に対する分析の指示が行われる場合がある。また、近年では、スマートフォンやタブレット端末などの携帯型の情報端末を用いて分析装置に対する分析の指示を行うことができるような分析システムも知られている。
【０００４】
上記のようなパーソナルコンピュータ、スマートフォン又はタブレット端末などの情報端末を用いた場合には、情報端末に対する操作によりメソッドファイルが作成され、そのメソッドファイルが情報端末に格納される。情報端末に格納されたメソッドファイルは、例えば情報端末に対する検索操作によって読み出され、読み出されたメソッドファイルを用いて分析装置に対する分析の指示が行われる。情報端末に格納されたメソッドファイルは、他の情報端末にコピーされて使用される場合もある。
【先行技術文献】
【特許文献】
【０００５】
【特許文献１】特開２０１４−２９２７０号公報
【発明の概要】
【発明が解決しようとする課題】
【０００６】
上記のような従来の分析システムでは、情報端末を用いてメソッドファイルを作成又は検索する操作が煩雑であった。すなわち、メソッドファイルを作成する際には、情報端末に備えられた操作部を操作して各種パラメータを設定しなければならないため、設定作業に長時間を要する。また、既に作成されているメソッドファイルを検索する際にも、多数のメソッドファイルから適切なものを検索しなければならない場合があり、検索作業が煩雑になることがあった。
【０００７】
特に、スマートフォンやタブレット端末においては、小さい表示画面を用いてメソッドファイルの作成又は検索を行わなければならないため、作業が煩雑になりやすい。また、作業者が実験をしながら分析装置で測定を行う際などには、片手が汚れた状態で情報端末に対する操作を行わなければならない場合があり、その場合には作業がさらに煩雑になるおそれがある。
【０００８】
他の情報端末で作成されたメソッドファイルをコピーして使用する場合には、上記のようなメソッドファイルを作成又は検索する操作が煩雑になるといった問題が生じない。しかしながら、他の情報端末からメソッドファイルをコピーして使用する際に、ＵＳＢ（Universal Serial Bus）メモリなどの記憶媒体を用いなければならない場合がある。近年、セキュリティを向上する観点から、ＵＳＢメモリなどの記憶媒体の使用が制限される場合もあるため、そのような場合にはメソッドファイルをコピーする作業も煩雑になるおそれがある。
【０００９】
本発明は、上記実情に鑑みてなされたものであり、分析条件のパラメータを容易に設定することができる分析システム及びこれに用いられる情報端末を提供することを目的とする。
【課題を解決するための手段】
【００１０】
本発明に係る分析システムは、作業者によって操作される情報端末と、前記情報端末からの指示信号に基づいて分析を行う分析装置とを備える。前記情報端末は、撮影部と、画像解析部と、信号送信部とを有する。前記撮影部は、画像を撮影する。前記画像解析部は、前記撮影部により撮影されたコード画像を解析する。前記信号送信部は、前記画像解析部によりコード画像が解析された場合に、その解析により得られた分析条件のパラメータを用いて前記分析装置に信号を送信する。
【００１１】
このような構成によれば、情報端末の撮影部でコード画像を撮影し、そのコード画像を解析することにより得られた分析条件のパラメータを用いて分析装置で分析を行うことができる。これにより、情報端末において分析条件のパラメータを設定してメソッドファイルを作成したり、情報端末を操作してメソッドファイルを検索したりする必要がない。また、撮影部でコード画像を撮影するだけでよいため、ＵＳＢメモリなどの記憶媒体を用いてメソッドファイルをコピーする必要もない。したがって、分析条件のパラメータを容易に設定することができる。
【００１２】
前記情報端末は、表示部と、表示制御部と、画像生成部と、画像出力部とをさらに有していてもよい。前記表示制御部は、前記分析装置における分析条件のパラメータを設定するための設定画面を前記表示部に表示させる。前記画像生成部は、前記設定画面を用いて設定された分析条件のパラメータがコード化されたコード画像を生成する。前記画像出力部は、前記画像生成部により生成されたコード画像を出力する。
【００１３】
このような構成によれば、必要に応じて、情報端末を操作することにより分析条件のパラメータを設定し、その設定された分析条件のパラメータがコード化されたコード画像を生成して出力することができる。このようにして出力されたコード画像を他の情報端末の撮影部で撮影すれば、その情報端末において同一のパラメータを容易に設定することができる。また、コード画像を撮影した情報端末において、当該コード画像から得られる分析条件のパラメータを基準にして容易に設定を行うことも可能である。
【００１４】
前記情報端末は、前記分析装置から分析結果を受信する分析結果受信部をさらに有していてもよい。この場合、前記画像出力部は、前記画像生成部により生成されたコード画像に、当該コード画像が表す分析条件のパラメータを用いて前記分析装置で行われた分析結果を対応付けて出力してもよい。
【００１５】
このような構成によれば、情報端末において生成されたコード画像に、当該コード画像が表す分析条件のパラメータを用いて分析装置で行われた分析結果が対応付けて出力されるため、コード画像と分析結果との対応関係が分かりやすい。したがって、例えば分析結果を確認した上で、当該分析結果に対応付けられたコード画像を他の情報端末の撮影部で撮影すれば、その分析時に用いられた分析条件のパラメータを容易に設定することができる。これにより、例えば再現実験を行う際などに、分析条件のパラメータを再設定する手間を省くことができる。
【００１６】
本発明に係る情報端末は、分析装置に対して分析を指示するための情報端末であって、撮影部と、画像解析部と、信号送信部とを備える。前記撮影部は、画像を撮影する。前記画像解析部は、前記撮影部により撮影されたコード画像を解析する。前記信号送信部は、前記画像解析部によりコード画像が解析された場合に、その解析により得られた分析条件のパラメータを用いて前記分析装置に信号を送信する。
【図面の簡単な説明】
【００１７】
【図１】本発明の一実施形態に係る分析システムの構成例を示したブロック図である。
【図２】情報端末の電気的構成の一例を示したブロック図である。
【図３】分析条件のパラメータを設定するための設定画面の一例を示した図である。
【図４】画像出力部によりコード画像を出力する際の態様の一例を示した図である。
【発明を実施するための形態】
【００１８】
図１は、本発明の一実施形態に係る分析システムの構成例を示したブロック図である。この分析システムには、例えば情報端末１、分析装置２及びプリンタ３などが備えられている。情報端末１は、例えばスマートフォン又はタブレット端末などの携帯型の情報端末であってもよいし、パーソナルコンピュータなどの固定型の情報端末であってもよい。
【００１９】
情報端末１には、例えば制御部１１、操作部１２．表示部１３、撮影部１４、記憶部１５及び通信部１６などが備えられている。制御部１１は、例えばＣＰＵ（Central Processing Unit）を含む構成であり、操作部１２，表示部１３、撮影部１４、記憶部１５及び通信部１６などが電気的に接続されている。
【００２０】
操作部１２は、作業者による入力操作を受け付け、その入力操作に伴って制御部１１に信号を送信する。表示部１３は、例えば液晶表示器により構成され、制御部１１からの信号に基づいて表示画面に各種情報を表示させる。操作部１２は、例えばタッチパネルを用いて表示部１３と一体的に構成されていてもよいし、キーボード又はマウスなどによって表示部１３とは分離して構成されていてもよい。
【００２１】
撮影部１４は、情報端末１に内蔵又は外付けされたカメラにより構成されており、作業者による操作部１２の操作に基づいて画像を撮影する。ただし、撮影部１４は、手動にかぎらず、自動で画像を撮影することも可能である。本実施形態では、例えば紙などの媒体４に記録されたコード画像５が撮影部１４により撮影される。コード画像５としては、例えばＱＲコード（登録商標）などの２次元コードを例示することができるが、他の２次元コードや、バーコードなどの１次元コードであってもよいし、これら以外のコードであってもよい。
【００２２】
記憶部１５は、例えばハードディスク又はＲＡＭ（Random Access Memory）などにより構成されており、各種データが読み書きされる。通信部１６は、分析装置２又はプリンタ３などの外部機器との間で通信を行う。本実施形態では、通信部１６が無線通信により外部機器と通信を行うような構成について説明するが、これに限らず、有線通信により外部機器と通信を行うような構成であってもよい。
【００２３】
分析装置２は、試料の特性を分析するための装置であり、分光分析装置、液体クロマトグラフ、ガスクロマトグラフ、質量分析装置などの各種装置を例示することができる。分析装置２で分析を行う際には、複数種類の分析条件のパラメータが設定され、それらのパラメータに従って分析が行われる。
【００２４】
本実施形態では、情報端末１が作業者によって操作され、その操作に基づく指示信号が情報端末１から通信部１６を介して分析装置２に入力されることにより、当該指示信号に基づいて分析装置２において分析が行われる。プリンタ３は、情報端末１から通信部１６を介して入力される情報を印刷する。
【００２５】
図２は、情報端末１の電気的構成の一例を示したブロック図である。制御部１１は、ＣＰＵがプログラムを実行することにより、条件設定部１１１、表示制御部１１２、画像解析部１１３、信号送信部１１４、画像生成部１１５、画像出力部１１６及び分析結果受信部１１７などとして機能する。
【００２６】
条件設定部１１１は、作業者による操作部１２を用いた指示操作に基づいて、分析装置２における分析の際に必要となる複数種類の分析条件のパラメータを設定する。すなわち、作業者は操作部１２を操作することにより各分析条件のパラメータを入力することができ、条件設定部１１１は入力されたパラメータを分析時の条件として設定する処理（条件設定）を行う。条件設定部１１１により行われた条件設定の設定情報、すなわち設定された各分析条件のパラメータは、メソッドファイルとして記憶部１５に記憶される。
【００２７】
表示制御部１１２は、表示部１３に対する表示を制御する。本実施形態では、表示制御部１１２の制御によって、分析装置２における分析条件のパラメータを設定するための設定画面を表示部１３に表示させることができる。したがって、作業者は、表示部１３に表示された設定画面を見ながら、操作部１２を操作して各分析条件のパラメータを設定することにより、メソッドファイルを作成することができる。
【００２８】
画像解析部１１３は、撮影部１４により撮影された画像の解析を行う。撮影部１４でコード画像５を読み取った場合には、コード画像５を解析するためのソフトウェアを用いて画像解析部１１３が解析を行うことにより、そのコード画像５により表された情報が得られる。
【００２９】
信号送信部１１４は、通信部１６を介して分析装置２に信号を送信する。例えば、作業者が操作部１２を操作してメソッドファイルを作成した場合には、そのメソッドファイルに含まれる各分析条件のパラメータを用いて、信号送信部１１４から分析装置２に分析を指示する信号を送信することにより、分析装置２において分析を行うことができる。
【００３０】
また、画像解析部１１３によりコード画像５が解析された場合には、その解析により得られた情報を用いて、信号送信部１１４から分析装置２に信号を送信することができる。例えば、コード画像５によって分析条件のパラメータが表されている場合には、当該コード画像５を解析することにより得られた分析条件のパラメータを用いて、信号送信部１１４から分析装置２に分析を指示する信号が送信されることにより、分析装置２において分析が行われる。
【００３１】
この場合、情報端末１において分析条件のパラメータを設定してメソッドファイルを作成したり、情報端末１を操作してメソッドファイルを検索したりする必要がない。また、撮影部１４でコード画像５を撮影するだけでよいため、ＵＳＢメモリなどの記憶媒体を用いてメソッドファイルをコピーする必要もない。したがって、分析条件のパラメータを容易に設定することができる。
【００３２】
ただし、信号送信部１１４は、コード画像５を解析することにより得られた分析条件のパラメータを用いて、分析を指示する信号を分析装置２に送信するような構成に限らず、例えば分析条件のパラメータ自体を分析装置２に送信するような構成であってもよい。この場合、その後に信号送信部１１４から分析装置２に分析を指示する信号を送信するか、あるいは、作業者が分析装置２を直接操作して分析を指示することにより、予め分析装置２に送信している分析条件のパラメータを用いて分析を行うことができる。
【００３３】
画像生成部１１５は、記憶部１５に記憶されているメソッドファイルを用いて、そのメソッドファイルを構成する分析条件のパラメータがコード化されたコード画像５を生成する。すなわち、作業者は、表示部１３に表示される設定画面を見ながら分析条件のパラメータを設定することにより、その設定された分析条件のパラメータを表すＱＲコード（登録商標）などのコード画像５を得ることができる。
【００３４】
画像出力部１１６は、画像生成部１１５により生成されたコード画像５を出力する。例えば、画像出力部１１６から通信部１６を介してプリンタ３にコード画像５を出力すれば、プリンタ３においてコード画像５を印刷することができる。また、画像出力部１１６から通信部１６を介して他の装置にコード画像５を出力すれば、その装置の表示部にコード画像５を表示させたりすることもできる。ただし、画像出力部１１６は、コード画像５だけでなく、そのコード画像５に関連する他の情報も併せて出力するような構成であってもよい。
【００３５】
このように、本実施形態では、必要に応じて、情報端末１を操作することにより分析条件のパラメータを設定し、その設定された分析条件のパラメータがコード化されたコード画像５を生成して出力することができる。このようにして出力されたコード画像５を他の情報端末１の撮影部１４で撮影すれば、その情報端末１において同一のパラメータを容易に設定することができる。また、コード画像５を撮影した情報端末１において、当該コード画像５から得られる分析条件のパラメータを基準にして容易に設定を行うことも可能である。
【００３６】
分析結果受信部１１７は、分析装置２から通信部１６を介して分析結果を受信する。この分析結果受信部１１７で分析装置２から分析結果を受信した場合、画像出力部１１６は、その分析に用いられた分析条件のパラメータを表すコード画像５とともに、受信した分析結果を出力することができる。すなわち、画像生成部１１５により生成されたコード画像５に、当該コード画像５が表す分析条件のパラメータを用いて分析装置で行われた分析結果が対応付けて出力されるため、コード画像５と分析結果との対応関係が分かりやすい。
【００３７】
図３は、分析条件のパラメータを設定するための設定画面１３０の一例を示した図である。この設定画面１３０では、複数種類の分析条件について、それぞれのパラメータを数値入力部１３１に直接入力することもできるし、選択入力部１３２を指定することにより複数の候補の中から任意のパラメータを選択することもできるようになっている。
【００３８】
この例では、分析装置２が分光分析装置である場合の分析条件の一例として、回折格子を回転させてスペクトルを取得する動作（スキャン）の際の波長範囲、速度、ピッチといった条件を設定画面１３０で設定することができる。また、例えば試料からの光が回折格子に導かれる際に通過するスリットのサイズや、光源の切替に関する条件など、他の各種条件も設定画面１３０で設定することができるようになっている。ただし、設定画面１３０において設定可能な分析条件は、これらの条件に限られるものではない。
【００３９】
上記のように、数値入力部１３１又は選択入力部１３２に対する入力操作により設定画面１３０上で分析条件のパラメータを入力した後、設定画面１３０上のＯＫキー１３３を選択すれば、その入力された分析条件のパラメータをメソッドファイルとして記憶部１５に記憶することができる。これにより、操作部１２を操作して各分析条件のパラメータを実際に入力することによって、メソッドファイルを作成することができる。
【００４０】
一方、設定画面１３０上の読込キー１３４を選択した場合には、撮影部１４により撮影されたコード画像５が表す分析条件のパラメータを設定画面１３０に読み込むことができる。すなわち、読込キー１３４を選択すれば、コード画像５が表す各分析条件のパラメータが、各分析条件に対応する数値入力部１３１に自動的に入力されるようになっている。
【００４１】
このとき、読込キー１３４の選択によって撮影部１４が起動され、撮影部１４で撮影されたコード画像５の解析により得られた分析条件のパラメータが設定画面１３０に読み込まれるような構成であってもよい。あるいは、撮影部１４でコード画像５を予め撮影することにより得られた分析条件のパラメータが、読込キー１３４の選択によって設定画面１３０に読み込まれるような構成であってもよい。
【００４２】
このようにして、撮影部１４により撮影されたコード画像５が表す分析条件のパラメータを設定画面１３０に読み込んだ後、ＯＫキー１３３を選択すれば、読み込まれた分析条件のパラメータをメソッドファイルとして記憶部１５に記憶することができる。ただし、読み込まれた分析条件のパラメータをそのままメソッドファイルとして記憶部１５に記憶させるのではなく、読み込まれた分析条件のパラメータを操作部１２の操作によって編集した上で、記憶部１５に記憶させることも可能である。
【００４３】
設定画面１３０上で分析条件のパラメータを設定した後、設定画面１３０上のコード出力キー１３５を選択した場合には、そのとき設定されている分析条件のパラメータが画像生成部１１５によりコード化されてコード画像５が生成され、当該コード画像５が画像出力部１１６によって出力される。これにより、設定画面１３０上で設定した分析条件のパラメータを表すコード画像５をプリンタ３で印刷したり、他の装置に出力したりして、任意の分析装置２における分析に利用することができる。
【００４４】
図４は、画像出力部１１６によりコード画像５を出力する際の態様の一例を示した図である。この例では、コード画像５がプリンタ３に出力されることにより、当該コード画像５が印刷された媒体４が得られる場合について説明する。
【００４５】
媒体４にはコード画像５のみを印刷することもできるが、この例では、コード画像５に関連する他の情報も併せて媒体４に印刷されている。具体的には、コード画像５が表す分析条件のパラメータを用いて分析装置２で行われた分析結果６が、コード画像５に対応付けて印刷されている。
【００４６】
したがって、分析結果６を確認した上で、当該分析結果６に対応付けられたコード画像５を他の情報端末１の撮影部１４で撮影すれば、その分析時に用いられた分析条件のパラメータを容易に設定することができる。これにより、例えば再現実験を行う際などに、分析条件のパラメータを再設定する手間を省くことができる。分析結果６は、図４の例のようにグラフで印刷されてもよいし、表などの他の態様で印刷されてもよい。
【００４７】
また、この例では、分析結果６だけでなく、コード画像５により表される分析条件７がコード画像５に対応付けて印刷されている。すなわち、コード画像５により表される分析条件７のパラメータが文字情報として具体的に印刷されるため、作業者は、当該文字情報を見てコード画像５の内容を容易に確認することができる。ただし、分析結果６及び分析条件７の両方がコード画像５に対応付けて印刷されるような構成に限らず、いずれか一方のみが印刷されるような構成であってもよい。
【００４８】
媒体４に印刷されるコード画像５は、１つに限らず、２つ以上であってもよい。また、コード画像５が印刷された媒体４は、図４の例のように１枚の用紙として提供されるような構成に限らず、例えば複数枚の用紙が綴じられることにより冊子状で提供されるような構成であってもよい。
【符号の説明】
【００４９】
１    情報端末
２    分析装置
３    プリンタ
４    媒体
５    コード画像
６    分析結果
７    分析条件
１１    制御部
１２    操作部
１３    表示部
１４    撮影部
１５    記憶部
１６    通信部
１１１    条件設定部
１１２    表示制御部
１１３    画像解析部
１１４    信号送信部
１１５    画像生成部
１１６    画像出力部
１１７    分析結果受信部
１３０    設定画面
１３１    数値入力部
１３２    選択入力部
１３３    ＯＫキー
１３４    読込キー
１３５    コード出力キー
【図１】
2016162259.tif 000003
【図２】
2016162259.tif 000004
【図３】
2016162259.tif 000005
【図４】
2016162259.tif 000006